(57)【要約】この発明は、宝石品に関する。その本体（２）は、開口部（４）を有し、その中に装飾要素（５）、特に貴石又は宝石用原石が挿入される。装飾要素（５）を受け入れた宝石品（１）の本体（２）の開口部（４）内に、装飾要素（５）に対する支持体（７）が形成されている。この支持体は、宝石品（１）の本体（２）の開口部（４）内への装飾要素（５）の挿入深さを規定すると共に、装飾要素（５）の下側エッジ（５’）を少なくとも所定の点で支持する。宝石品（１）は、少なくとも開口部（４）の周縁の一部にわたって延びた保持要素（１０）を有する。この発明によると、保持要素（１０）は、宝石品（１）の本体（２）を開口部（４）のエッジ領域（１１）内でこすり、それから開口部（４）を囲む本体（２）のエッジ領域（１１）から取り除かれた材料を固めることによって形成される。また、保持要素（１０）は、装飾要素（５）の上側エッジ（５”）に少なくとも所定の点で接触する。更に、宝石品（１）の本体（２）のエッジ領域（１１）は、少なくとも部分的に面取りされている。【選択図】図１
2007513658.tif 000002
【特許請求の範囲】
【請求項１】
本体（２）に開口部（４）が設けられ、その中に装飾要素（５）、特に貴石又は装飾用の石が収容され、前記装飾要素（５）を収容した前記宝石品（１）の前記本体（２）の前記開口部（４）内に、前記装飾要素（５）に対する支持体（７）が形成され、これにより前記宝石品（１）の前記本体（２）の前記開口部（４）内への前記装飾要素（５）の挿入の深さが規定され、またこれにより前記装飾要素（５）の下側エッジ（５’）が少なくとも選択的に支持され、前記宝石品（１）は、少なくとも前記開口部（４）の円周の一部に沿って延びた固定要素（１０）を備えた宝石品において、
前記固定要素（１０）は、前記宝石品（１）の前記本体（２）の前記開口部（４）を前記開口部（４）を囲む領域（１１）内で広げ、その後前記本体（２）の前記開口部（４）を囲む前記領域（１１）から侵食された材料を安定化することによって形成され、前記固定要素（１０）は、前記装飾要素（５）の上側エッジ（５”）に少なくとも選択的に作用し、前記宝石品（１）の前記本体（２）の前記開口部（４）を囲む前記領域（１１）は、少なくとも部分的に面取りされていることを特徴とする宝石品。
【請求項２】
前記固定要素（１０）は、実質的に前記開口部（４）の全周に沿って延びるように形成されている請求項１に記載の宝石品。
【請求項３】
前記開口部（４）は、前記装飾要素（５）の直径（Ｄ）よりも大きな直径（ｄ’）を有する上側部分（４’）と、前記装飾要素（５）の前記直径（Ｄ）よりも小さな直径（ｄ）を有する下側部分（４”）とを備える請求項１に記載の宝石品。
【請求項４】
前記開口部（４）の前記上側部分（４’）と前記下側部分（４”）との間に、遷移部分（６）が形成されて、前記装飾要素（５）に対する前記支持体（７）を構成する、先行する請求項の１つに記載の宝石品。
【請求項５】
前記開口部（４）内に、前記装飾要素（５）のねじれを防止するための手段（８）が設けられている、先行する請求項の１つに記載の宝石品。
【請求項６】
前記宝石品は、リング（１’）、ペンダント、チェーンの輪の一部として、耳飾りとして、時計や腕時計又は時計バンドの一部として形成されている、先行する請求項の１つに記載の宝石品。
【請求項７】
宝石品（１）、特にリング（１’）を製造するための方法であって、その本体（２）に開口部（４）が設けられ、その中に装飾要素（５）、特に貴石又は装飾用の石が収容され、前記宝石品（１）の前記本体（２）に設けられた前記開口部（４）は、この方法の第１工程の後に、前記開口部（４）内に挿入される前記装飾要素（５）の前記直径（Ｄ）よりも小さな直径（ｄ）を有し、次の工程では、前記装飾要素（５）の前記直径（Ｄ）以上の直径（ｄ’）を有する前記開口部（４）の上側部分（４’）が形成され、この結果、前記開口部（４）の前記直径（ｄ’）を有する前記上側部分（４’）と前記開口部（４）の前記小さな直径（ｄ）を有する前記下側部分（４”）との間に、前記装飾要素（５）に対する支持体（７）として機能する遷移部分（６）が形成され、前記装飾要素（５）は、前記開口部（４）内に挿入されると共に前記支持体（７）上にセットされ、これにより、次の工程で、前記宝石品（１）の前記本体（２）の材料は、前記開口部（４）を囲む領域（１１）で侵食され、前記侵食された材料は、前記本体（２）の前記開口部（４）内に収容された前記装飾要素（５）に持ち込まれる方法において、
前記開口部（４）の前記領域（１１）での材料の侵食は、前記開口部（４）を囲む前記領域（１１）を広げる動作により実行され、前記装飾要素（５）に対する固定要素（１０）は、そのように侵食され且つ後に再安定化された材料によって形成され、その結果、前記装飾要素（５）の上側エッジ（５”）は、そのように形成された固定要素（１０）によって少なくとも選択的に作用させられ、かくして前記装飾要素（５）は前記開口部（４）内の定位置に固定され、前記開口部（４）を囲む前記領域（１１）は、この広げる動作によって少なくとも部分的に面取りされることを特徴とする方法。
【請求項８】
前記固定要素（１０）は、実質的に前記開口部（４）の全周を延びるように形成されている請求項７に記載の方法。
【請求項９】
前記装飾要素（５）のねじれを防止するための手段（８）が前記支持体（７）内に設けられている請求項８に記載の方法。
【請求項１０】
請求項８〜９の１つによる方法の実施用工具であって、前記工具（Ｗ）は、前記装飾要素（５）が収容され得る内部（Ｗ２）を有する工具本体（Ｗ１）を備え、前記工具（Ｗ）は、広げ領域（Ｗ５）をその前面（Ｗ’）に備えることを特徴とする工具。
【請求項１１】
広げ領域（Ｗ５）は、複数のセグメント（Ｗ３）に分割されている請求項１０に記載の工具。
【請求項１２】
広げ領域（Ｗ５）は、前記工具本体（Ｗ１）の外面に対し傾斜して延びるように形成されている請求項１０に記載の工具。
【請求項１３】
前記工具（Ｗ）の前記工具本体（Ｗ１）は、シャンク（Ｗ６）に配設されている請求項１０〜１２の１つに記載の工具。
【発明の詳細な説明】
【技術分野】
【０００１】
［説明］
この発明は、宝石品に関する。この宝石品の本体には開口部が設けられ、その中に装飾要素、特に貴石又は装飾用の石が収容され、前記装飾要素を収容した前記宝石品の前記本体の前記開口部内に、前記装飾要素に対する支持体が形成され、これにより前記宝石品の前記本体の前記開口部内への前記装飾要素の挿入の深さが規定され、またこれにより前記装飾要素の下側エッジが少なくとも選択的に支持され、前記宝石品は、少なくとも前記開口部の円周の一部に沿って延びた固定要素を備えている。この発明はまた、そのような宝石品、特にリングを製造するための方法に関する。この宝石品の本体には開口部が設けられ、その中に装飾要素、特に貴石又は装飾用の石が収容される。この方法の第１工程の後に、前記宝石品の前記本体に設けられた前記開口部は、前記開口部内に挿入される前記装飾要素の前記直径よりも小さな直径を有し、次の工程では、前記装飾要素の前記直径以上の直径を有する前記開口部の上側部分が形成され、この結果、前記開口部の前記直径を有する前記上側部分と前記開口部の前記小さな直径を有する前記下側部分との間に、前記装飾要素に対する支持体として機能する遷移部分が形成され、前記装飾要素は、前記開口部内に挿入されると共に前記支持体上にセットされ、これにより、次の工程で、前記宝石品の前記本体の材料は、前記開口部を囲む領域で侵食され、前記侵食された材料は、前記本体の前記開口部内に収容された前記装飾要素に持ち込まれる。この発明は更に、そのような方法の実施に特に適した工具に関する。
【０００２】
開口部内に装飾要素、特に貴石が収容された宝石品は既知である。既知の宝石品の欠点は、装飾要素が殆ど宝石品の本体の表面に配設され、宝石品の本体内に収容された装飾要素が空間的な外観を呈せずに、概ね平坦な装飾として観察される点である。
【０００３】
イギリス特許公報（ＧＢ）２０８４９８５５号から、宝石品及び上述された種類の方法が知られている。既知の方法によって製造された宝石品を見る人は、宝石品の本体の開口部内に挿入された装飾要素が、ファセットを持つ宝石品を囲む宝石品本体の領域の適切なデザインによって、前述したデザインのない場合よりも高度に光学的な存在を呈する、という印象を持つべきである。従って、既述の方法によって、より大きく、より光学的に存在する装飾要素の錯覚が喚起されるべきである。この目的のために、この英国文献は、次のことを示唆している。即ち、ファセットを製造するために、宝石品の本体は、ファセット形成パンチ及びそれに抗して作用するプレスベッドを備えたプレス内に固定される、という点である。宝石品をプレス内の定位置に固定するために、宝石品の本体は、その開口部に対向した面に、開口部と同心的で、プレスベッドのリブと協同する円形溝を有するものとされている。それから、圧迫力がファセット形成パンチに作用すると共に開口部を囲む宝石品本体の材料を冷間加工して、開口部内に収容された装飾要素に向かう力がこの材料に作用するようにする。このようにして、この材料は、装飾要素に向かって変位されると共に、宝石品に対する固定要素を形成する。
【０００４】
装飾要素が宝石品の本体の開口部内により深く設けられた他の宝石品では、固着処置によって、宝石品が開口部内に固定されなければならない、という欠点が生じる。この処置は、特に貴石の場合に、装飾要素が、使用される糊によって傷つけられるか、“緩やかな固着”の場合に、本体の開口部内だけに不安定に固定される、という欠点を有する。これは高価な貴石が装飾要素として使用される場合には特に不利である。
【０００５】
本発明の目的は、装飾要素が見かけ上だけでなく本体の開口部内に収容されている場合でも、改良された支持と改良された光学的存在が確実化されるように、上述された種類の宝石品を更に発展させること、並びにそのような宝石品を製造するための方法及びこの方法を実施するに特に適した工具を創生することである。
【０００６】
この目的は、この発明に係る宝石品によって達成される。この場合、前記固定要素は、前記宝石品の前記本体の前記開口部を前記開口部を囲む領域内で広げ、その後前記本体の前記開口部を囲む前記領域から侵食された材料を安定化することによって形成され、前記固定要素は、前記装飾要素の上側エッジに少なくとも選択的に作用し、前記宝石品の前記本体の前記開口部を囲む前記領域は、少なくとも部分的に面取りされる。
【０００７】
この発明の１つの有利な発展は、前記固定要素が実質的に前記開口部の全周に沿って延びるように形成される点である。そのような対策は、それによって、前記宝石品の前記本体の開口部内に、前記装飾要素の特別に安全な支持体が形成されるという利点を有する。
【０００８】
この発明に係る方法は、前記開口部を囲む前記領域内の材料の侵食が、前記開口部を囲む前記領域を広げることによって実行されるようにすると共に、前記装飾要素に対する固定要素が、そのように侵食された材料で形成されるようにするものである。この結果、装飾要素の上側エッジは、そのように形成された固定要素によって少なくとも選択的に作用され、このようにして装飾要素は、前記開口部内の定位置に固定される。
【０００９】
この発明に係る方法の有利な異なる発展は、前記固定要素が実質的に前記宝石品の前記開口部の前記全周に沿って延びるように形成されるようにする点である。前記方法のそのような実施は、それによって、前記開口部内に、前記装飾要素の特別に安全な支持体が達成されるという利点を有する。この発明に係る方法の更なる有利な発展は、前記装飾要素の少なくとも１つの隅に、ねじれ防止手段、特に座が形成されるようにする点である。
【００１０】
この発明に係る宝石品を製造するに特に適した工具は、それが円筒形又は円錐形の工具本体を備える点で勝っている。この工具本体は、その前方部分に配設された少なくとも１つの広げ要素を有する。この部分は、前記工具本体の外面に対し傾斜して延びる広げ領域を有する。前記工具本体は、前記装飾要素を受け入れる開口部を有する。
【００１１】
この発明に係る対策によって、有利な手法で、宝石品と、その製造に特に有利な方法と、この方法の実施に特に適した工具とが創生される。この発明に係る宝石品は、前記宝石品の前記本体の前記開口部内に見かけ上ではなく挿入された前記装飾要素に対する安全な支持体が、前記開口部内にも設けられる、という利点を有する。この発明に係る対策によって可能にされた前記装飾要素のさら穴状のはめ込み台のもう１つの利点は、前記宝石品の表面が問題なく処理（粉砕、研磨、投石等）され得る点である。この場合、前記宝石品の前記開口部内に収容された前記装飾要素を損傷することも、前記宝石品の前記開口部内に収容された前記装飾要素が前記処置を乱すこともない。
【００１２】
この発明に係る対策のもう１つの利点は、前記開口部を囲む前記領域内の前記宝石品の前記本体の前記材料に対する広げ工具による侵食によって、前記開口部内に収容された前記装飾要素の改良された光学的存在が与えられる、という点である。更には、この発明の１つの利点は、説明される方法が、前記装飾要素の特別な形態に限定されない、という点である。この発明に係る方法は、むしろ複数の異なるカットによって、本質的に円形の開口部への装飾要素の安全な挿入を可能にする。
【００１３】
この発明の更なる有利な発展は、従属請求項の主題である。
この発明の更なる詳細及び利点は、図面に関して以下で説明される実施形態で与えられる。
【００１４】
図１は、本体２を備えた宝石品１、この例ではリング１’の断面を示している。このリング１’がリングバーである場合、その表面３には少なくとも１つの開口部４があり、その中に直径Ｄの装飾要素５が挿入される。この例では、特に図３及び４ａ〜４ｅから明らかなように、開口部４は透孔であり、これにより開口部４をめくら穴として形成することも可能である。
【００１５】
宝石品１がリング１’としてではなく、ペンダントとして、耳飾りとして、チェインの輪等として、あるいは腕時計や時計用の、又は時計バンド用の装飾要素等としてデザインされることも可能である。それ故、“宝石品”という用語は、その最も広い意味で理解されるべきものであって、完成された宝石品だけを含むのではなく、そのような品目の部分をも含んでいる。
【００１６】
装飾要素５は、貴石であることが好ましいが、装飾用の石やそれぞれの装飾要素を使用することも可能である。このように、“装飾要素”という用語もまた、その最も広い意味で理解されるべきである。
【００１７】
図１から特に判るように、説明されている宝石品１では、装飾要素５は見かけ上だけでなく宝石品の本体２中に設けられているが、装飾要素５は、図３に見られるように、宝石品１の本体２の表面３から離れて設けられている、即ちさら穴に埋められている。
【００１８】
装飾要素５を開口部４内に安全に固定する（このことは、装飾要素５を本体２内にセットすることを意味する）ことを可能にするために、宝石品１の本体２の開口部４は、図４ａ〜４ｅに見られるように形成される。
【００１９】
図４ａに示されているように、第１の工程で、この例では透孔として形成された開口部４が本体２に適用され、開口部４の直径が装飾要素５の直径Ｄよりも小さくなるようにする。これは、図４ａと４ｂの比較から容易に生ずる。
【００２０】
図４ｂに模式的に示されている続く工程で、宝石品１の本体２の開口部４の上側部分４’は、例えばさらもみ又はミリングによって、直径ｄ’まで拡大される。この直径ｄ’は、少なくとも装飾要素５の直径Ｄと等しいが、それより少し大きいことが好ましい。これは、後述されるように（図４ｄ参照）、装飾要素５が開口部４の上側部分４’内に持ち込まれ得るからである。
【００２１】
開口部４の下側部分４”は不変のままにされるので、それは直径ｄを有する。このため、直径ｄの下側部分４”と直径ｄ’の上側部分４’との間には、遷移部分６が形成される。この結果、この遷移部分６は、円錐状に形成されることが好ましい。一般に、段状の遷移部分６もまた可能である。
【００２２】
図４ｄに最も良く見られるように、遷移部分６は、開口部４内に挿入された装飾要素５に対する支持体７を形成する。このため、装飾要素５は、それ以上深く開口部４内に挿入され得ない。宝石品１の本体２の開口部４における遷移部分６の局在化の深さは、それ故、装飾要素５の開口部４への所望の挿入深さに依存する。装飾要素５の形状に依存して、支持体７は、装飾要素５の下側エッジ５’を少なくとも選択的に、好ましくは円周全体にわたって支持し、このようにして装飾要素５を開口部４の底部に固定する。
【００２３】
続く工程では、図４ｃに見られるように、座８が遷移部分６に設けられようにする。この座は、後続工程の１つで装飾要素５のねじれに対する保護体として作用する。しかし、装飾要素５の形状及び後続工程の実行に依存して、座８が省略されるようにすることも可能である。
【００２４】
上述したように開口部４が形成され、そして装飾要素５が開口部４に挿入されると共に、遷移部分６によって形成された支持体７上にセットされた後に、宝石品１の本体２内で装飾要素５に対するはめ込み台となる固定要素１０が形成され、図４ｄ及び４ｅに見られるように、装飾要素５を上向き方向に定位置に固定する。この場合、この固定要素１０は、装飾要素５の上側エッジ５”に作用する。図４ｄに示された工程では、宝石品の本体２の材料は、適切な工具Ｗ、好ましくは図５に示され且つ後述される工具で広げることによって、開口部を囲む領域１１内で作用を受ける。
【００２５】
この材料の侵食は、広げ処置によって実行され、領域１１から侵食される本体２の材料が、広げ運動によって侵食され、それから装飾要素５に向けて輸送され、そこで再安定化されることが好ましい。図３及び図４に見られるように、このようにして固定要素１０は、領域１１から侵食され且つ装飾要素５に直接隣接して再安定化された材料によって形成される。この固定要素１０によって、装飾要素５は、開口部４内の定位置に少なくとも選択的に固定される。固定要素１０は、本質的に又は完全に開口部４の全周に沿って延びるように形成されることが好ましい。それから、開口部４内の装飾要素５の特に安全な支持体が有利な手法で達成される。これにより、支持体７と組み合わせて、簡単な手法で、装飾要素５に対するはめ込み台が、宝石品１の本体２の開口部４内に達成され、装飾要素５の信頼性のある支持体を開口部４内に提供する。
【００２６】
図４ｅに最も良く見られるように、上述した材料の侵食によって、開口部４を囲む円錐形の領域１１が達成される。この結果、有利な手法で、装飾要素５は、開口部４内に深く収容されてはいるが、光学的に存在する外観を有するようになる。
【００２７】
図４で模式的にだけ説明された工具Ｗは、図５では詳細に示されている。工具Ｗは、図４ｄに見られるように、装飾要素が収容される内部Ｗ２を有した工具本体Ｗ１を備える。工具Ｗは、その前面Ｗ’に広げ領域Ｗ５を備える。この広げ領域は、複数のセグメントＷ３に分割されていることが好ましく、且つ工具Ｗ１の外面に対して傾斜されるように形成されていることが好ましい。工具本体Ｗ１から始まるシャンクＷ６は、工具Ｗの被駆動回転を可能にする。提示された工具Ｗは、上述した方法の実施に好適なだけではない。それはまた、有利な手法では、通常の技術に従って丸い石をセッティングすることにも好適である。これは、そのような装飾要素が、従来の技術によるよりも深く広げられるからである。これにより、既知の工具と比べたこの広げ処理の品質は、広げ境界を通常よりも広く且つ確実に形成可能にすることによって強化され、可能となる。このことにより、光学的外観も改良される。
【図面の簡単な説明】
【００２８】
【図１】宝石品の一実施形態
【図２】図１の実施形態の上面図
【図３】図１の線III-IIIに沿った断面図
【図４ａ】宝石品を製造するための方法の実施形態の模式図
【図４ｂ】宝石品を製造するための方法の実施形態の模式図
【図４ｃ】宝石品を製造するための方法の実施形態の模式図
【図４ｄ】宝石品を製造するための方法の実施形態の模式図
【図４ｅ】宝石品を製造するための方法の実施形態の模式図
【図５】この方法の実行に特に適した工具の一実施形態の図
【符号の説明】
【００２９】
１    宝石品
１’    リング
２    本体２
３    リング表面
４    開口部
５    装飾要素
【図１】
2007513658.tif 000003
【図２】
2007513658.tif 000004
【図３】
2007513658.tif 000005
【図４ａ】
2007513658.tif 000006
【図４ｂ】
2007513658.tif 000007
【図４ｃ】
2007513658.tif 000008
【図４ｄ】
2007513658.tif 000009
【図４ｅ】
2007513658.tif 000010
【図５】
2007513658.tif 000011
【手続補正書】
【提出日】平成18年2月23日(2006.2.23)
【手続補正１】
【補正対象書類名】特許請求の範囲
【補正対象項目名】全文
【補正方法】変更
【補正の内容】
【特許請求の範囲】
【請求項１】
本体（２）に開口部（４）が設けられ、その中に装飾要素（５）、特に貴石又は装飾用の石が収容され、前記装飾要素（５）を収容した前記宝石品（１）の前記本体（２）の前記開口部（４）内に、装飾要素（５）の直径（Ｄ）よりも小さな直径（ｄ）を有する開口部（４）の下側部分（４”）を設けることにより、前記装飾要素（５）に対する支持体（７）が形成され、この支持体は、前記宝石品（１）の前記本体（２）の前記開口部（４）内への前記装飾要素（５）の挿入の深さを規定して、装飾要素（５）が本体（２）の表面（３）から離れ、且つ装飾要素（５）の下側エッジ（５’）が少なくとも選択的に支持されるようにし、前記開口部（４）の下側部分（４”）と上側部分（４’）との間に、装飾要素（５）に対する前記支持体（７）を構成する遷移部分（６）が設けられ、前記宝石品（１）は、少なくとも前記開口部（４）の円周の一部に沿って延びた固定要素（１０）を備えた宝石品において、
前記固定要素（１０）は、回転式工具（Ｗ）によって前記宝石品（１）の前記本体（２）の前記開口部（４）を前記開口部（４）を囲む領域（１１）内で広げ、その後前記本体（２）の前記開口部（４）を囲む前記領域（１１）から侵食された材料を安定化することによって形成され、前記固定要素（１０）は、前記装飾要素（５）の上側エッジ（５”）に少なくとも選択的に作用し、前記宝石品（１）の前記本体（２）の前記開口部（４）を囲む前記領域（１１）は、円錐形に形成され、前記開口部（４）がその上側部分（４’）に前記装飾要素（５）の直径（Ｄ）よりも大きな直径（ｄ”）を有することを特徴とする宝石品。
【請求項２】
前記固定要素（１０）は、実質的に前記開口部（４）の全周に沿って延びるように形成されている請求項１に記載の宝石品。
【請求項３】
前記宝石品は、リング（１’）、ペンダント、チェーンの輪の一部として、耳飾りとして、時計や腕時計又は時計バンドの一部として形成されている請求項１に記載の宝石品。
【請求項４】
宝石品（１）、特にリング（１’）を製造するための方法であって、その本体（２）に開口部（４）が設けられ、その中に装飾要素（５）、特に貴石又は装飾用の石が収容され、前記宝石品（１）の前記本体（２）に設けられた前記開口部（４）は、この方法の第１工程の後に、前記開口部（４）内に挿入される前記装飾要素（５）の前記直径（Ｄ）よりも小さな直径（ｄ）を有し、次の工程では、前記装飾要素（５）の前記直径（Ｄ）以上の直径（ｄ’）を有する前記開口部（４）の上側部分（４’）が形成され、この結果、前記開口部（４）の前記直径（ｄ’）を有する前記上側部分（４’）と前記開口部（４）の前記小さな直径（ｄ）を有する前記下側部分（４”）との間に、前記装飾要素（５）に対する支持体（７）として機能する遷移部分（６）が形成され、前記装飾要素（５）は、前記開口部（４）内に挿入されると共に前記支持体（７）上にセットされて、本体（２）の表面（３）から離れて配置され、これにより、次の工程で、前記宝石品（１）の前記本体（２）の材料は、前記開口部（４）を囲む領域（１１）で侵食され、前記侵食された材料は、前記本体（２）の前記開口部（４）内に収容された前記装飾要素（５）に持ち込まれる方法において、
前記開口部（４）の前記領域（１１）での材料の侵食は、前記開口部（４）を囲む前記領域（１１）を回転式工具（Ｗ）によって広げる動作により実行され、前記装飾要素（５）に対する固定要素（１０）は、そのように侵食され且つ後に再安定化された材料によって形成され、その結果、前記装飾要素（５）の上側エッジ（５”）は、そのように形成された固定要素（１０）によって少なくとも選択的に作用させられ、このようにして前記装飾要素（５）は前記開口部（４）内の定位置に固定され、前記開口部（４）を囲む前記領域（１１）は、この広げる作用によって円錐形に形成され、この円錐形領域が支持要素（７）から開始して本体（２）の表面（３）まで立ち上がり、開口部（４）の直径（ｄ’）が拡大されることを特徴とする方法。
【請求項５】
前記固定要素（１０）は、実質的に前記開口部（４）の全周に沿って延びるように形成されている請求項４に記載の方法。
【手続補正２】
【補正対象書類名】明細書
【補正対象項目名】０００１
【補正方法】変更
【補正の内容】
【０００１】
［説明］
この発明は、宝石品に関する。この宝石品の本体には開口部が設けられ、その中に装飾要素、特に貴石又は装飾用の石が収容され、前記装飾要素を収容した前記宝石品の前記本体の前記開口部内に、装飾要素の直径よりも小さな直径を有する開口部の下側部分を設けることにより、前記装飾要素に対する支持体が形成され、この支持体は、前記宝石品の前記本体の前記開口部内への前記装飾要素の挿入の深さを規定して、装飾要素が本体の表面から離れ、且つ装飾要素の下側エッジが少なくとも選択的に支持されるようにし、前記開口部の下側部分と上側部分との間に、装飾要素に対する前記支持体を構成する遷移部分が設けられ、前記宝石品は、少なくとも前記開口部の円周の一部に沿って延びた固定要素を備えている。この発明はまた、そのような宝石品、特にリングを製造するための方法に関する。この宝石品の本体には開口部が設けられ、その中に装飾要素、特に貴石又は装飾用の石が収容される。この方法の第１工程の後に、前記宝石品の前記本体に設けられた前記開口部は、前記開口部内に挿入される前記装飾要素の前記直径よりも小さな直径を有し、次の工程では、前記装飾要素の前記直径以上の直径を有する前記開口部の上側部分が形成され、この結果、前記開口部の前記直径を有する前記上側部分と前記開口部の前記小さな直径を有する前記下側部分との間に、前記装飾要素に対する支持体として機能する遷移部分が形成され、前記装飾要素は、前記開口部内に挿入されると共に前記支持体上にセットされて、本体の表面から離れて配置され、これにより、次の工程で、前記宝石品の前記本体の材料は、前記開口部を囲む領域で侵食され、前記侵食された材料は、前記本体の前記開口部内に収容された前記装飾要素に持ち込まれる。
【手続補正３】
【補正対象書類名】明細書
【補正対象項目名】０００２
【補正方法】変更
【補正の内容】
【０００２】
開口部内に装飾要素、特に貴石が収容された宝石品は既知である。既知の宝石品の欠点は、装飾要素が殆ど宝石品の本体の表面に配設され、宝石品の本体内に収容された装飾要素が空間的な外観を呈せずに、概ね平坦な装飾として観察される点である。
【手続補正４】
【補正対象書類名】明細書
【補正対象項目名】０００３
【補正方法】変更
【補正の内容】
【０００３】
イギリス特許（ＧＢ）２０８４９８５５号から、宝石品及び上述された種類の方法が知られている。既知の方法によって製造された宝石品を見る人は、宝石品の本体の開口部内に挿入された装飾要素が、ファセットを持つ宝石品を囲む宝石品本体の領域の適切なデザインによって、前述したデザインのない場合よりも高度に光学的な存在を呈する、という印象を持つべきである。従って、既述の方法によって、より大きく、より光学的に存在する装飾要素の錯覚が喚起されるべきである。この目的のために、この英国文献は、次のことを示唆している。即ち、ファセットを製造するために、宝石品の本体は、ファセット形成パンチ及びそれに抗して作用するプレスベッドを備えたプレス内に固定される、という点である。宝石品をプレス内の定位置に固定するために、宝石品の本体は、その開口部に対向した面に、開口部と同心的で、プレスベッドのリブと協同する円形溝を有するものとされている。それから、圧迫力がファセット形成パンチに作用すると共に開口部を囲む宝石品本体の材料を冷間加工して、開口部内に収容された装飾要素に向かう力がこの材料に作用するようにする。このようにして、この材料は、装飾要素に向かって変位されると共に、宝石品に対する固定要素を形成する。
【手続補正５】
【補正対象書類名】明細書
【補正対象項目名】０００４
【補正方法】変更
【補正の内容】
【０００４】
装飾要素が宝石品の本体の開口部内により深く設けられた他の宝石品では、固着処置によって、宝石品が開口部内に固定されなければならない、という欠点が生じる。この処置は、特に貴石の場合に、装飾要素が、使用される糊によって傷つけられるか、“緩やかな固着”の場合に、本体の開口部内だけに不安定に固定される、という欠点を有する。これは高価な貴石が装飾要素として使用される場合には特に不利である。
【手続補正６】
【補正対象書類名】明細書
【補正対象項目名】０００５
【補正方法】変更
【補正の内容】
【０００５】
ＣＨ６９２０１８Ａは、宝石品を提示している。その本体には、開口部が設けられ、その中に装飾要素が収容されている。装飾要素の下側先端は、宝石品の本体の穴内に含まれ、またその上側エッジは、広げ操作によって固定されている。この宝石品は、装飾要素が開口部内に“接着”されるので、装飾要素の改良された光学的存在が達成されない、という欠点を有する。
ＥＰ１０４８２４１は、開口部内のさら穴に収容されない宝石品のセッティングを記載している。この装飾要素のセッティングは、本体の材料が装飾要素上に移動されることで達成される。ＦＲ２８５５９４７は、開口部内に収容されない装飾要素を記載している。
ＥＰ０３６７９２３は、貴石をセッティングするための方法を記載している。この方法では、力を加えることによって、貴石が穴内に押し込まれる。この穴の直径は、セットされる貴石の外径よりも少し小さい。この穴の中に、セッティングする材料の表面のレベル以下まで貴石の外周縁を押し込んだ後に、セットされる貴石の外径上に金属が広げられる。
【手続補正７】
【補正対象書類名】明細書
【補正対象項目名】０００６
【補正方法】変更
【補正の内容】
【０００６】
本発明の目的は、装飾要素が見かけ上だけでなく本体の開口部内に収容されている場合でも、改良された支持と改良された光学的存在が確実化されるように、上述された種類の宝石品を更に発展させること、並びにそのような宝石品を製造するための方法を創生することである。
【手続補正８】
【補正対象書類名】明細書
【補正対象項目名】０００７
【補正方法】変更
【補正の内容】
【０００７】
この目的は、この発明に係る宝石品によって達成される。この場合、前記固定要素は、前記宝石品の前記本体の前記開口部を回転式工具によって前記開口部を囲む領域内で広げ、その後前記本体の前記開口部を囲む前記領域から侵食された材料を安定化することによって形成され、前記固定要素は、前記装飾要素の上側エッジに少なくとも選択的に作用し、前記宝石品の前記本体の前記開口部を囲む前記領域は、円錐形に形成され、開口部がその上側部分に前記装飾要素の直径よりも大きな直径を有するようにする。
【手続補正９】
【補正対象書類名】明細書
【補正対象項目名】０００８
【補正方法】変更
【補正の内容】
【０００８】
この発明の１つの有利な発展は、前記固定要素が実質的に前記開口部の全周に沿って延びるように形成される点である。そのような対策は、それによって、前記宝石品の前記本体の開口部内に、前記装飾要素の特別に安全な支持体が形成されるという利点を有する。
【手続補正１０】
【補正対象書類名】明細書
【補正対象項目名】０００９
【補正方法】変更
【補正の内容】
【０００９】
この発明に係る方法は、前記開口部を囲む前記領域内の材料の侵食が、回転式工具によって前記開口部を囲む前記領域を広げることによって実行されるようにすると共に、前記装飾要素に対する固定要素が、そのように侵食され且つ後に再安定化された材料で形成されるようにするものである。この結果、装飾要素の上側エッジは、そのように形成された固定要素によって少なくとも選択的に作用され、このようにして装飾要素は、前記開口部内の定位置に固定され、この広げ作用によって、前記開口部を囲む前記領域が円錐形に形成され、この円錐形領域が支持要素から開始して本体の表面まで立ち上がり、開口部の直径が拡大される。
【手続補正１１】
【補正対象書類名】明細書
【補正対象項目名】００１０
【補正方法】変更
【補正の内容】
【００１０】
この発明に係る方法の有利な異なる発展は、前記固定要素が実質的に前記宝石品の前記開口部の前記全周に沿って延びるように形成されるようにする点である。前記方法のそのような実施は、それによって、前記開口部内に、前記装飾要素の特別に安全な支持体が達成されるという利点を有する。この発明に係る方法の更なる有利な発展は、前記装飾要素の少なくとも１つの隅に、ねじれ防止手段、特に座が形成されるようにする点である。
【手続補正１２】
【補正対象書類名】明細書
【補正対象項目名】００１１
【補正方法】変更
【補正の内容】
【００１１】
この発明に係る対策によって、有利な手法で、宝石品と、その製造に特に有利な方法と、この方法の実施に特に適した工具とが創生される。この発明に係る宝石品は、前記宝石品の前記本体の前記開口部内に見かけ上ではなく挿入された前記装飾要素に対する安全な支持体が、前記開口部内にも設けられる、という利点を有する。この発明に係る対策によって可能にされた前記装飾要素のさら穴状のはめ込み台のもう１つの利点は、前記宝石品の表面が問題なく処理（粉砕、研磨、投石等）され得る点である。この場合、前記宝石品の前記開口部内に収容された前記装飾要素を損傷することも、前記宝石品の前記開口部内に収容された前記装飾要素が前記処置を乱すこともない。
【手続補正１３】
【補正対象書類名】明細書
【補正対象項目名】００１２
【補正方法】変更
【補正の内容】
【００１２】
この発明に係る対策のもう１つの利点は、前記開口部を囲む前記領域内の前記宝石品の前記本体の前記材料に対する広げ工具による侵食によって、前記開口部内に収容された前記装飾要素の改良された光学的存在が与えられる、という点である。更には、この発明の１つの利点は、説明される方法が、前記装飾要素の特別な形態に限定されない、という点である。この発明に係る方法は、むしろ複数の異なるカットによって、本質的に円形の開口部への装飾要素の安全な挿入を可能にする。
【国際調査報告】
2007513658.tif 000012
2007513658.tif 000013
2007513658.tif 000014
2007513658.tif 000015
2007513658.tif 000016
2007513658.tif 000017